(57)【要約】      （修正有）【課題】予測を利用する利用者が予測能力者の予測を統計処理した結果を基に、任意に設定された予測項目や付加的に要望された特定予測項目の予測結果を確率順に選択することができるインターネットを介した予測システムを提供する。【解決手段】予測システムは、予測能力者選抜手段と、予測能力を評価する予測能力評価手段と、統計処理手段とを備えることから、予測を利用する利用者に、多くの予測能力者の予測項目に対する予測を統計処理した信頼性の高い結果を提供できる。【選択図】図１
2011227784.tif 000002
【特許請求の範囲】
【請求項１】
ネットワークに接続されるサーバと、前記ネットワークに接続可能で前記サーバから提供される予測能力者選抜サービスを利用する予測能力利用者と任意の予測項目に対する前記予測能力者による予測結果を閲覧する予測利用者が利用する利用者端末とを備える予測システムであって、
前記サーバは、予測能力者選抜手段と、予測能力者の情報を保存する予測能力者データベースと、任意の予測項目に対する予測能力者の予測を統計処理して予測結果を算出する統計処理手段と、選抜された予測能力者の予測結果を格納する予測結果データベースとを備え、
前記予測能力者選抜手段は、前記利用者端末からアクセスした前記予測能力利用者の予測能力を評価する予測能力評価手段と、前記予測能力評価手段の評価結果から前記予測能力利用者の予測能力により段階的に予測能力者を選択するための予測能力者選択手段とを備え、
前記予測能力者データベースには、前記予測能力評価手段による予測能力者の評価情報が格納され、
前記予測結果データベースには、前記統計処理手段により統計処理された任意の予測項目に対する複数の予測能力者或いは個人の予測能力者の予測結果が格納され、
前記予測利用者が前記利用者端末を介して前記サーバにアクセスし、前記予測結果データベースに保存された任意の予測項目に対する予測結果を閲覧することを特徴とする予測システム。
【請求項２】
前記任意の予測項目は、予め設定されている予測項目と、前記予測利用者が前記ネットワーク端末を介して依頼する予測項目とを含むことを特徴とする請求項１に記載の予測システム。
【請求項３】
前記予測能力評価手段が複数の項目で予測能力を評価することを特徴とする請求項１又は２に記載の予測システム。
【請求項４】
前記予測能力者選抜手段が前記予測能力者の予測能力を順位付けして前記予測能力者データベースに格納することを特徴とする請求項１乃至３いずれかに記載の予測システム。
【請求項５】
前記予測能力者選抜手段が、前記予測能力利用者の予測能力を開発するための予測能力開発手段を有することを特徴とする請求項１乃至４いずれかに記載の予測システム。
【請求項６】
前記予測能力評価手段及び／又は前記予測能力開発手段が予測能力を評価及び／又は開発するためのゲームであることを特徴とする請求項５に記載の予測システム。
【請求項７】
前記サーバが前記予測利用者の会員登録の確認を行う登録会員確認手段と、会員登録していない場合に前記予測利用者の会員登録を行う会員登録手段をさらに備え、
前記会員登録手段は会員登録した前記予測利用者を登録会員データベースに保存し、前記登録会員確認手段が前記登録会員データベースに照合して前記サーバへのアクセス許可を与えるか否かを決定することを特徴とする請求項１乃至６いずれかに記載の予測システム。
【請求項８】
前記予測利用者が前記依頼内容を予測する前記予測能力者を前記予測能力者データベースから個人、あるいは複数人を選択することを特徴とする請求項１乃至７いずれかに記載の予測システム。
【請求項９】
前記サーバが前記利用者の利用に応じて前記利用者に課金することを特徴とする請求項１乃至８いずれかに記載の予測システム。
【請求項１０】
前記サーバが前記予測能力者の前記予測結果情報から前記予測能力者への報酬を算定する報酬決定手段を備えることを特徴とする請求項１乃至９いずれかに記載の予測システム。
【請求項１１】
前記サーバが前記予測能力利用者を会員登録するための予測能力利用者会員登録手段を有することを特徴とする請求項１乃至１０いずれかに記載の予測システム。
【請求項１２】
前記ネットワーク端末が、パーソナルコンピューター、携帯電話、又は携帯情報端末であることを特徴とする請求項１乃至１１いずれかに記載の予測システム。
【発明の詳細な説明】
【技術分野】
【０００１】
本発明は、インターネットを介した予測システムに関し、より詳しくはインターネットを介して予測能力の高い予測能力者を選抜し、選抜された予測能力者に、システム運営者が予め設定している予測項目（株価、先物取引価格、不動産価格、スポーツイベント等）を予測させたり、或いは特定の予測依頼案件を予測させ、それら結果を統計処理することにより予測項目の高確率の予測値を知ることができるインターネットを介した予測システムに関する。
本発明でいうインターネットを介した予測システムの利用者とは、予測能力者選抜サービスで高成績を修め報酬を得たい、あるいは予測ゲームを利用して自らの予測能力の向上を計りたい利用者と一般の興味本位で予測ゲームをして自らの予測能力レベルを知りたい利用者をさす、任意に設定された予測項目の予測結果を利用する予測利用者とを含むものとする。
【背景技術】
【０００２】
従来の日経平均等の金融市場、スポーツイベント、政治イベント、気象や地震などの自然現象等様々なものに関する予知能力に基づく予測は、個人の予測能力者に予測を依頼し、予測能力者による予測結果を依頼人が利用するものであった。従って、依頼人は、数多くの予測能力者が行った予測結果を横並びに比較する手段を有さず、自らが望む予測内容を多くの予測能力者の統計処理結果から選択できるものではなかった。
【０００３】
また、依頼人は、これまで予測能力者を選択するための統計学的な情報をほとんど有していない。詳細に説明すると、依頼人は予測能力者の例えば将来の数字や隠れた対象物の探査等というように予測分野別の予測的中率や、予測能力者のバイオリズム等による的中率に差があるか否かを判断するための統計学的に処理した情報を有しておらず、予測内容及び予測時期等に応じて予測能力者の統計結果を選択することができなかった。
【０００４】
特許文献１では、金融市場、スポーツイベント、又は自然現象のイベントに関する賭博システムを開示しており、其々のイベントに対して賭け率を算出することが記載されている。しかし、この賭け率とは、賭けを行う者の数により決定されるものであり、特定の予測能力者の予測結果により算出されるものではない。従って、予測内容を高確率で予測できるものではないといった問題を有する。
【先行技術文献】
【特許文献】
【０００５】
【特許文献１】国際公開２００１−０８３０５８号公報
【発明の概要】
【発明が解決しようとする課題】
【０００６】
本発明では、上記問題点を解決するために、各種予測を利用する利用者が予測能力者の予測を統計処理した結果を基に、任意に設定された予測項目や付加的に要望された特定予測項目の予測結果を確率順に選択することができるインターネットを介した予測システムを提供することを目的とする。
【課題を解決するための手段】
【０００７】
請求項１に係る発明は、ネットワークに接続されるサーバと、前記ネットワークに接続可能で前記サーバから提供される予測能力者選抜サービスを利用する予測能力利用者と任意の予測項目に対する前記予測能力者による予測結果を閲覧する予測利用者が利用する利用者端末とを備える予測システムであって、前記サーバは、予測能力者選抜手段と、予測能力者の情報を保存する予測能力者データベースと、任意の予測項目に対する予測能力者の予測を統計処理して予測結果を算出する統計処理手段と、選抜された予測能力者の予測結果を格納する予測結果データベースとを備え、前記予測能力者選抜手段は、前記利用者端末からアクセスした前記予測能力利用者の予測能力を評価する予測能力評価手段と、前記予測能力評価手段の評価結果から前記予測能力利用者の予測能力により段階的に予測能力者を選択するための予測能力者選択手段とを備え、前記予測能力者データベースには、前記予測能力評価手段による予測能力者の評価情報が格納され、前記予測結果データベースには、前記統計処理手段により統計処理された任意の予測項目に対する複数の予測能力者或いは個人の予測能力者の予測結果が格納され、前記予測利用者が前記利用者端末を介して前記サーバにアクセスし、前記予測結果データベースに保存された任意の予測項目に対する予測結果を閲覧することを特徴とする予測システムに関する。
【０００８】
請求項２に係る発明は、前記任意の予測項目は、予め設定されている予測項目と、前記予測利用者が前記ネットワーク端末を介して依頼する予測項目とを含むことを特徴とする請求項１に記載の予測システムに関する。
【０００９】
請求項３に係る発明は、前記予測能力評価手段が複数の項目で予測能力を評価することを特徴とする請求項１又は２に記載の予測システムに関する。
【００１０】
請求項４に係る発明は、前記予測能力者選抜手段が前記予測能力者の予測能力を順位付けして前記予測能力者データベースに格納することを特徴とする請求項１乃至３いずれかに記載の予測システムに関する。
【００１１】
請求項５に係る発明は、前記予測能力者選抜手段が、前記予測能力利用者の予測能力を開発するための予測能力開発手段を有することを特徴とする請求項１乃至４いずれかに記載の予測システムに関する。
【００１２】
請求項６に係る発明は、前記予測能力評価手段及び／又は前記予測能力開発手段が予測能力を評価及び／又は開発するためのゲームであることを特徴とする請求項５に記載の予測システムに関する。
【００１３】
請求項７に係る発明は、前記サーバが前記予測利用者の会員登録の確認を行う登録会員確認手段と、会員登録していない場合に前記予測利用者の会員登録を行う会員登録手段をさらに備え、前記会員登録手段は会員登録した前記予測利用者を登録会員データベースに保存し、前記登録会員確認手段が前記登録会員データベースに照合して前記サーバへのアクセス許可を与えるか否かを決定することを特徴とする請求項１乃至６いずれかに記載の予測システムに関する。
【００１４】
請求項８に係る発明は、前記予測利用者が前記依頼内容を予測する前記予測能力者を前記予測能力者データベースから個人、あるいは複数人を選択することを特徴とする請求項１乃至７いずれかに記載の予測システムに関する。
【００１５】
請求項９に係る発明は、前記サーバが前記利用者の利用に応じて前記利用者に課金することを特徴とする請求項１乃至８いずれかに記載の予測システムに関する。
【００１６】
請求項１０に係る発明は、前記サーバが前記予測能力者の前記予測結果情報から前記予測能力者への報酬を算定する報酬決定手段を備えることを特徴とする請求項１乃至９いずれかに記載の予測システムに関する。
【００１７】
請求項１１に係る発明は、前記サーバが前記予測能力利用者を会員登録するための予測能力利用者会員登録手段を有することを特徴とする請求項１乃至１０いずれかに記載の予測システムに関する。
【００１８】
請求項１２に係る発明は、前記ネットワーク端末が、パーソナルコンピューター、携帯電話、又は携帯情報端末であることを特徴とする請求項１乃至１１いずれかに記載の予測システムに関する。
【発明の効果】
【００１９】
請求項１に係る発明によれば、ネットワークに接続されるサーバと、前記ネットワークに接続可能で前記サーバから提供される予測能力者選抜サービスを利用する予測能力利用者と任意の予測項目に対する前記予測能力者による予測結果を閲覧する予測利用者が利用する利用者端末とを備える予測システムであって、前記サーバは、予測能力者選抜手段と、予測能力者の情報を保存する予測能力者データベースと、任意の予測項目に対する予測能力者の予測を統計処理して予測結果を算出する統計処理手段と、選抜された予測能力者の予測結果を格納する予測結果データベースとを備え、前記予測能力者選抜手段は、前記利用者端末からアクセスした前記予測能力利用者の予測能力を評価する予測能力評価手段と、前記予測能力評価手段の評価結果から前記予測能力利用者の予測能力により段階的に予測能力者を選択するための予測能力者選択手段とを備え、前記予測能力者データベースには、前記予測能力評価手段による予測能力者の評価情報が格納され、前記予測結果データベースには、前記統計処理手段により統計処理された任意の予測項目に対する複数の予測能力者或いは個人の予測能力者の予測結果が格納され、前記予測利用者が前記利用者端末を介して前記サーバにアクセスし、前記予測結果データベースに保存された任意の予測項目に対する予測結果を閲覧することができる。従って、予測利用者は、多くの予測能力者の予測項目に対する予測を統計処理した信頼性の高い予測結果を得ることができる。従って、予測利用者の高い顧客満足度を得ることができる。
【００２０】
請求項２に係る発明によれば、前記任意の予測項目は、予め設定されている予測項目と、前記予測利用者が前記ネットワーク端末を介して依頼する予測項目とを含むことから、予測利用者の要望に応えることができるため、さらに予測利用者の高い顧客満足度を得ることができる。
【００２１】
請求項３に係る発明によれば、前記予測能力評価手段が複数の項目で予測能力を評価することができる。従って、予測能力者の能力を多くの項目で評価できるため、予測利用者の依頼案件に応じて、各項目で判定された予測能力者の数値を参考に予測能力者を選択することができる。
【００２２】
請求項４に係る発明によれば、前記予測能力者選抜手段が前記予測能力者の予測能力を順位付けして前記予測能力者データベースに記録することができる。これにより、予測利用者は、予測能力の高い予測能力者群に依頼案件を予測してもらうことができる。従って、予測利用者の高い顧客満足度を得ることができる。
【００２３】
請求項５に係る発明によれば、前記予測能力者選抜手段が、前記利用者の予測能力を開発するための予測能力開発手段を有する。これにより、予測能力者選抜サービスの予測能力利用者が自己の予測能力を向上させることができ、能力が上がれば予測能力者として予測利用者の予測に参加することができるようになり、報酬も発生するため能力向上の動機づけにもなり、結果的には予測利用者の案件を予測する予測能力者の数を増やすことができる。
【００２４】
請求項６に係る発明によれば、前記予測能力評価手段及び／又は前記予測能力開発手段が予測能力を評価及び／又は開発するためのゲームである。これにより予測能力者選抜サービスの利用者が気軽に予測能力者選抜サービスに参加することができるとともに、自己の予測能力を向上させるサービスに関しても、気軽に参加することができ、ゲームの正解率に応じてランク分けをすればより競争心が刺激され習熟レベルが上がりながら興味も増すと考えられる。従って、予測能力者の数と質を上げることができ、引いては予測利用者の満足度にもつながる。
【００２５】
請求項７に係る発明によれば、前記サーバが前記依頼者の会員登録の確認を行う登録会員確認手段と、会員登録していない場合に依頼者の会員登録を行う会員登録手段をさらに備え、前記会員登録手段は会員登録した前記依頼者を登録会員データベースに保存し、前記登録会員確認手段が前記登録会員データベースに照合して前記サーバへのアクセス許可を与えるか否かを決定することができる。従って、選抜された予測者の予測を利用する予測利用者は必ず会員登録を必要とするため、予測利用者個人を正確に特定することができ、サーバ運営者は容易に予測利用者の依頼案件を管理することができる。従って、予測利用者の過去の予測案件の結果を考慮して、個人としての予測能力者あるいは案件に適した予測能力者の一群を選択することもできる。
【００２６】
請求項８に係る発明によれば、前予測利用者が前記依頼内容を予測する前記予測能力者を選択することができる。従って、予測利用者は、自己の依頼案件に合わせて最適な予測能力者を選択することができる。
【００２７】
請求項９に係る発明によれば、前記サーバが前記利用者の利用に応じて前記利用者に課金することができる。従って、運営者は効率的に予測システムの運営を行うことができる。
【００２８】
請求項１０に係る発明によれば、前記サーバが前記予測能力者の前記予測結果情報から前記予測能力者への報酬を算定する報酬決定手段を備えることとなる。これにより、予測能力者に予測結果に応じて報酬を算定することができるとともに、予測能力者は予測の困難性と報酬額から予測に参加するか否かを決定することができる。従って、予測能力者は、そのモチベーションが高まり、良好な予測を行うことになり、引いては予測利用者の満足度を高めることになる。
【００２９】
請求項１１に係る発明によれば、前記サーバが前記利用者を会員登録するための利用者会員登録手段を有することとなる。これにより、能力の高い予測能力者を会員とすることができる。従って、システムの運営者は、予測能力者の的確な情報を収集することができ、予測を依頼する利用者は、自己の予測案件を希望する予測能力者に依頼することができる。
【００３０】
請求項１２に係る発明によれば、前記ネットワーク端末が、パーソナルコンピューター、携帯電話、又は携帯情報端末であることとなる。これにより、利用者及び依頼者は、容易に運営サーバにアクセスすることができる。従って、多くの利用者を本発明に係る予測システムに集めることができる。
【図面の簡単な説明】
【００３１】
【図１】本発明に係る予測システムを示す概略構成図である。
【図２】本発明に用いられるインターネットを介したサーバとネットワーク端末の構成図である。
【図３】本発明の予測システムに用いられる運営サーバの一実施形態を示す概略構成図である。
【図４】本発明に係る予測システムの予測能力者選抜手段の一実施形態を示す概略構成図である。
【図５】本発明に係る予測システムの予測能力者評価手段に用いられる評価ゲームを例示した図である。
【図６】本発明に係る予測システムの予測能力者選抜手段を用いて予測能力者を選抜する一実施形態のフロー図である。
【図７】本発明に係る予測システムの予測能力者データベースに登録されている予測能力者を検索した図である。
【図８】本発明に係る予測システムによる予測利用者からの予測依頼の流れを示すフロー図である。
【図９】本発明に係る予測システムの予測能力者の選択及び報酬に関する一実施形態を示すフロー図である。
【図１０】本発明に係る予測システムへの予測依頼の一実施形態を示したフロー図である。
【発明を実施するための形態】
【００３２】
本発明の実施例は、インターネットを介して予測能力の高い予測能力者を選抜し、選抜された予測能力者に、システム運営者が予め設定している予測項目（株価、先物取引価格、不動産価格、スポーツイベント等）を予測させたり、或いは特定の予測依頼案件を予測させ、それら結果を統計処理することにより予測項目の高確率の予測値を知ることができるインターネットを介した予測システムである。
以下図面に基づいて各構成を詳しく説明する。
【００３３】
図１は本発明に係る予測システムを示す概略構成図である。
図１は、インターネットを介した予測システムの一実施形態であり、ネットワーク（１）網、例えばインターネットに接続されたネットワーク端末（３）からアクセス可能に接続されるサーバ（２）が図示されている。尚、図の都合上、ネットワーク端末（３）は三つしか記載されていないが、実際は多数のネットワーク端末（３）が各々インターネットを介してサーバに接続されている。従って、ネットワーク端末（３）を有する複数の利用者が同時に本発明に係る予測システムを利用することができる。
【００３４】
図２は、本発明に用いられるインターネットを介したサーバとネットワーク端末の構成を示す図である。
図２に示されるように、サーバ（２）は、中央演算装置（ＣＰＵ）（４）がメモリー（５）又は外部記憶装置等に記憶されたプログラムにより、サーバ（２）が備える可読媒体（６）に格納されたデータベースを利用して予測能力者の選抜や予測能力者の予測に関する予測結果を統計処理するものである。ここで、サーバ（２）が備えるデータベースを格納する可読媒体（６）は、サーバに内蔵されるものだけではなく、外部に接続されて利用されるものも含む。このデータベースには、後述する予測能力者データベース（１１）と、登録会員データベース（１３）と、予測結果データベース（１６）とが含まれる。
【００３５】
サーバ（２）は、ネットワーク（１）に接続したコンピュータ、特にインターネットに接続したコンピュータであって、インターネットを介するサービスを提供可能なサーバ機能を備えていればよく、コンピュータの回路、規模、構成などは問わない。サーバ（２）は単一のコンピュータで構成したサーバでもよく、複数のコンピュータをネットワーク接続して構成したサーバでもよく、図２に示されている構成に限定されない。例えば、図１に示される予測能力者選抜手段を予測能力者選抜サーバとし、接続手段をネットワークサーバとして、夫々をネットワーク接続して構成したサーバとすることもできる。
【００３６】
本発明に用いられるネットワーク端末（３）は、サーバ（２）より提供される予測能力者選抜サービスを利用可能とし、サーバ（２）から送信される予測能力者による予測項目の結果を表示可能とし、さらにネットワーク端末（３）を操作する者の指示をサーバ（２）に伝えることができる。ネットワーク端末（３）は、ネットワーク（１）に接続する接続手段（７）、サーバ（２）に情報及び指示を伝えるための入力手段（８）、サーバ（２）から送信される情報を表示するための表示手段（９）を有するものであればよい。ネットワーク端末（３）の例としては、パーソナルコンピューター、携帯電話、又は携帯情報端末が挙げられるが、これら機器に限定されない。
【００３７】
図３は、本発明の予測システムに用いられる運営サーバの一実施形態を示す概略構成図である。
図３に示されるように、本発明に係る予測システムを運営するサーバ（２）は、予測能力者を選別することができる予測能力者選抜手段（１０）と、予測能力者選抜手段（１０）により選抜された予測能力者を格納するための予測能力者データベース（１１）と、予測を依頼した予測利用者が会員登録するための会員登録手段（１２）と、会員登録手段（１２）により登録された会員情報を保存するための登録会員データベース（１３）と、予測を希望する予測利用者がサーバにアクセスする際に、その予測利用者が登録会員であるか否かを登録会員データベース（１３）の記録情報と照合して確認する登録会員確認手段（１４）と、任意の予測項目に対する予測能力者による予測結果を統計処理する統計処理手段（１５）と、予測能力者の予測結果を格納する予測結果データベース（１６）と、予測能力者の予測結果に応じて報酬を算出する報酬決定手段（１７）とを備えている。
【００３８】
本発明でいう予測能力者とは、予測能力者選抜手段（１０）により適時決定され得るものであるが、例えば予測の分野毎での予測的中率により予測能力者を段階的に選抜することができる。つまり、的中率が６０−７０％の場合はＢ級予測能力、７０−８０％の場合はＡ級予測能力者、８０％以上の場合はＳ級予測能力者として段階的に登録することができる。従って、登録されている予測能力者であっても、予測分野によっては、的中率が低い場合もある。
【００３９】
予測能力者選抜手段（１０）は、予測能力者選抜サービスを利用する予測能力利用者の中から予測能力者を選抜し、その予測能力利用者情報を予測能力者データベース（１１）に記録することができる。予測能力者データベース（１１）は、磁気記録媒体、光磁気記録媒体、光学記録媒体等が挙げられるが、これら記録媒体に限定されるものではない。これら記録媒体はサーバ内部に格納されてもよく、外部に接続されていてもよく、インターネット等の通信回線に接続されたハードディスクや光ディスク等の記録媒体としてもよく、その構成は限定されるものではない。
【００４０】
会員登録手段（１２）は、任意の事象に関して予測を希望する予測利用者が会員登録するためのものであり、予測利用者が会員登録するとサーバ（２）にログインするための認証情報（ＩＤ）を発行するとともに、認証情報及び会員情報を登録会員データベース（１３）に記録する。
【００４１】
登録会員確認手段（１４）は、登録会員がサーバ（２）にログインする際に、認証情報を要求する。更に登録会員確認手段（１４）は、登録会員がネットワーク端末を用いて入力した認証情報が登録会員データベース（１３）に保存された認証情報と同じであるかの確認を行い、認証情報が正しければ、登録会員がサーバ（２）にログインすることを認める。
登録会員データベース（１３）は、磁気記録媒体、光磁気記録媒体、光学記録媒体等が挙げられるが、これら記録媒体に限定されるものではない。これら記録媒体はサーバ内部に格納されてもよく、外部に接続されていてもよく、インターネットなどの通信回線に接続されたハードディスクや光ディスク等の記録媒体としてもよく、その構成は限定されるものではない。
【００４２】
統計処理手段（１５）は、予め設定されている予測項目に対する予測能力者の予測結果を統計処理したり、ネットワーク端末（３）を介して予測利用者から個別に依頼された依頼案件に対する予測能力者の予測結果を統計処理するものである。
予め設定されている予測項目に関しては、統計処理手段（１５）を用いて多数の予測能力者の予測結果を統計処理して予測結果を出し、予測結果データベース（１６）に格納される。従って、予測利用者が希望する予測案件が、予測項目の中にあれば、その結果を利用することができる。
【００４３】
予測利用者の個別の予測依頼案件は、夫々の予測能力者にネットワークを介して送信され、予測が行われる。予測能力者データベース（１１）には、後述する予測能力評価手段により様々な評価項目から予測能力者の能力が判定され、その情報が記録されている。従って、予測利用者は、予測結果データベース（１６）から統計処理手段（１５）により統計処理して算出した予測結果を利用するだけでなく、予測能力評価手段（１８）による評価結果に基づいて、予測能力者毎に予測結果を選択することもできる。
予測結果データベース（１６）は、磁気記録媒体、光磁気記録媒体、光学記録媒体等が挙げられるが、これら記録媒体に限定されるものではない。これら記録媒体はサーバ内部に格納されてもよく、外部に接続されていてもよく、インターネットなどの通信回線に接続されたハードディスクや光ディスク等の記録媒体としてもよく、その構成は限定されるものではない。
【００４４】
報酬決定手段（１７）は、予測利用者からの任意の予測項目に対する予測結果から予測能力者に対する報酬を決定する手段である。報酬額は、予測依頼の難易度に応じて設定され、予測の選択肢が多く、予測が困難な案件である場合には高い報酬額が設定される。本発明に係る予測システムは、予測能力者が案件の内容と報酬額を参考にして予測に参加するか否かを決定するように構成することもできる。
【００４５】
図４は本発明に係る予測システムの予測能力者選抜手段の一実施形態を示す概略構成図であり、図５は本発明に係る予測システムの予測能力者評価手段に用いられる評価ゲームを例示した図である。
予測能力者選抜手段（１０）は、予測能力者選抜サービス利用者の予測能力を評価するための予測能力評価手段（１８）と、予測能力評価手段（１８）により評価された予測能力の高い利用者を、予測能力者として選択するための予測能力者選択手段（１９）とを備えている。
【００４６】
予測能力評価手段（１８）は、予測能力者選抜サービスを利用する予測能力利用者の予測能力を評価できるものであればよいが、予測能力利用者が気軽に利用できるゲーム形態のものが好ましい。予測ゲームの内容としては、数字に強い予測能力者を評価する数字当てゲーム、色彩に強い予測能力者を評価する色彩当てゲーム、場所に強い予測能力者を評価する場所当てゲーム、形態に強い予測能力者を評価する図形当てゲーム等の予測項目に分けたゲームが考えられる。
【００４７】
図５に示されるように、数字当てゲームとしては、例えばルーレットで出る数字を当てるゲーム（ａ）や、インターネット端末の画面上に隠れている魚の数（ｂ）や或いは目の数（ｃ）を当てるもの等が挙げられ、色彩当てゲームとしては画面上に隠れている色彩の種類を当てるゲーム（ｄ）が挙げられ、場所当てゲームとしては同じ柄が隠れているカードを当てるゲーム（ｅ）や、マス目の中に隠れた当たりマスを当てるゲーム等が挙げられ、図形の形を当てるゲームとしては画面上に隠れている図形を当てるゲーム（ｆ）等が考えられるが、これらゲームに限定されるものではない。
【００４８】
予測能力者選択手段（１９）は、予測能力評価手段（１８）により評価された利用者の予測能力を解析し、利用者の中から予測能力者を選択するものである。
予測能力者は、予測する内容の項目別に評価され、その平均値により順位付けして予測能力者を段階別に選択してもよいが、予測する項目別に的中率の高い予測能力者（例えば、数字に強い、場所に強い等）を段階別に選択してもよい。例えば、数字の的中率が６０−７０％の場合は、数字のＢ級予測能力者、７０−８０％の場合は数字のＡ級予測能力者、８０％以上の場合は数字のＳ級予測能力者として段階的に選択してもよい。従って、選択された予測能力者がＳ級予測能力者であっても、予測分野によっては、Ｂ級予測能力者となる場合もある。
【００４９】
予測能力選抜手段（１０）としては、さらに予測能力者選抜サービスの予測能力利用者を会員登録するための予測能力利用者会員登録手段（２０）と、登録した登録利用者を確認する予測能力利用者会員確認手段（２１）をさらに備えることができる。これにより、予測能力利用者の情報を簡便に得ることができる。
予測能力利用者会員登録の一実施形態は、例えば、予測能力評価手段（１８）の予測項目を限定した簡易バージョンの予測能力評価ゲームと、全ての予測項目が利用できる完全バージョンの予測能力評価ゲームとに分け、予測能力利用者登録を済ませたものだけが、予想能力評価手段（１８）の完全バージョンの予測能力評価ゲームをすることができるようにすることが考えられる。これにより、予測能力利用者情報を収集することができ、引いては予測能力者の情報も容易に収集することができる。
【００５０】
予測能力者選抜手段（１０）は、予測能力者選抜サービス利用者の予測能力を開発するための予測能力開発手段（２２）をさらに備えることができる。
予測能力開発手段（２２）は、予測能力者選抜サービスの利用者が自己の予測能力を開発し、予測能力を高めるためのものである。
予測能力開発手段（２２）の内容としては、例えば、予測能力利用者が行った予測内容を統計処理手段（１５）により統計処理し、予測能力利用者の予測能力の強い分野及び弱い分野を解析して、弱い予測分野の項目に関する予測を繰返し行ったり、或いは利用者が開発したい予測分野の項目に関する予測を繰返し行うことにより予測能力の開発を行ってゆくものが挙げられるが、その内容に限定されるものではない。これにより、予測能力の低いものも自己の能力を開発することができ、最終的には能力の高い予測能力者となることができる。
【００５１】
図６は、本発明に係る予測システムの予測能力者選抜手段（１０）により予測能力者を選抜する一実施形態のフロー図である。
予測能力者選抜サービスを利用する予測能力利用者は、インターネットを介して予測能力利用者のネットワーク端末（３）からサーバ（２）にアクセスする。予測能力利用者は、本発明に係る予測能力者選抜サービスに未登録であったとしても、機能を限定した簡易バージョンの予測能力評価ゲーム（２３）を利用することができる。更に自己の予測能力を開発するための予測能力開発ゲームを利用することもできる。これにより、予測能力の低いものも自己の能力を開発することができ、最終的には能力の高い予測能力者となることができる。この段階までは、予測能力利用者は、会員登録することなく予測能力者選抜サービスを利用することができる。従って、予測能力利用者は、気軽に予測能力者選抜サービスを利用することができる。
【００５２】
本発明に係る予測能力者選抜サービスに未登録の場合は、予測能力評価ゲーム（２３）は機能を限定した簡易バージョンしか利用できない。予測能力評価ゲーム（２３）の利用者は、予測能力利用者会員登録を行うと、予測能力者データベース（１１）に利用者情報が記録され、認証ＩＤが発行される。従って、予測能力利用者は、ネットワーク端末（３）から認証ＩＤを入力するだけで、無料で機能制限のない完全バージョンの予測能力評価ゲーム（２３）を利用することができる。このシステムにより、予測能力利用者に会員登録を促すことになり、予測能力利用者の情報だけでなく引いては予測能力者の情報を容易に収集することができる。また予測能力の向上を有料で行うゲーム等の特別プログラムを通じて実施することもできる。
【００５３】
予測能力評価手段（１８）は、複数の項目別（分野別）で予測能力者を選抜することができる。予測能力評価手段（１８）は、多くの項目例えば、数字、色彩、場所又は図形等に項目分けをして、予測能力評価を行うことができる。これにより、予測能力の項目別の結果を予測能力者データベース（１１）に記録することができ、数字、色彩、場所又は図形等の項目別に予測能力者の予測能力の差異を比較することができる。
予測結果を閲覧する予測利用者は、この項目別の予測能力の予測能力者毎の評価結果から、求める任意の事象の予測に応じて予測能力者の統計結果や個人の予測結果を適時選択することができる。例えば、予測利用者が石油探索の予測には、数字や、色等の予測には弱いが、場所や図形の予測には強い予測能力者を選択する場合等が挙げられる。
【００５４】
予測能力評価手段（１８）は、予測能力評価ゲーム（２３）を段階に分けて実施し、予測能力者の能力をランク別に評価することもできる。
予測能力者の能力をランク別に評価する実施形態としては、例えば、第一段階の予測能力評価ゲーム（２３）として、数字、色彩、場所又は図形をネット上で予測能力者が当てるゲームにより第一段階の予測能力者の評価を行い、次いで第二段階の予測能力評価ゲーム（２３）として、一週間後にネット上で表示される数字、色彩、場所又は図形を予測能力者が当てるゲームにより第二段階の評価を行って段階的に予測能力者の能力評価を行うことが挙げられる。
【００５５】
予測能力評価手段（１８）の予測内容としては、時間軸、地域といった限定的要因を段階的に予測内容に付加し、予測内容を複雑化していくことが好ましく、さらに好ましくは、予測内容を実際の事象（日経平均、先物取引価格、不動産価格、スポーツイベントの結果、自然現象等）に対応させて予測内容を段階的に複雑化することが挙げられる。これにより、実際の予測内容に即した予測能力者の順位付けを行うことができ、予測能力の高い順に、Ｓ級予測能力者グループ、Ａ級予測能力者グループ、Ｂ級予測能力者グループというようにランク分けすることができる。
予測利用者は、予測能力者データベース（１１）に記録されたこの予測能力者毎の順位付け、あるいはランク分けを見るだけで、予測能力者、或いは予測能力者グループの予測能力を容易に判断することができ、求める任意の事象の予測に応じて最適な個人の予測能力者或いは予測能力者グループを選択することができる。
【００５６】
図７は、予測利用者が、ネットワーク端末を用いて数字、色彩、場所の項目で予測能力者の予測能力の結果を検索した画面の一例を示している。数字、色彩及び場所に関しては、いずれも二段階で評価を行っている。予測能力者の順位付けは、数字の予測結果に基づいて行われているため、色彩や場所の予測能力の低い予測能力者が上位にランクされているが、画面上の色彩、又は場所の部分をクリックすると色彩又は場所の予測結果で予測能力者の順位付けが再構成されるようになっている。
【００５７】
予測能力者の順位付けは、予測能力評価手段（１８）だけで判断されるものではなく、実際の予測利用者の予測結果も反映されるようにすることが好ましい。また、予測能力者のバイオリズムを考慮に入れて予測能力者の順位付けを行ってもよい。これにより、予測能力者の予測結果に、時間、季節等による差異を反映することができ、予測利用者の予測能力者選択の幅を広げることとなる。
【００５８】
図８は、本発明に係る予測システムによる予測利用者からの予測依頼の一実施形態を示すフロー図である。
予測利用者は、インターネット（１）を介して利用者端末（３）からサーバ（２）にアクセスする。任意の事象に関する予測を閲覧する予測利用者は、サーバ（２）の登録会員確認手段（１４）により登録会員であるか否かを確認され、会員で無い場合は、会員登録手段（１２）により会員登録を行う。会員登録を行った依頼者には、認証情報（ＩＤ）が発行され、依頼者はこの認証ＩＤを用いてサーバ（２）にアクセスすることができる。
【００５９】
予測利用者は、サーバ（２）に記録されている予測項目群から自己の要望する予測項目をネットワーク端末（３）の画面上で選択する。予測項目に関しては、予め予測内容が決められており、その予測内容に対して予測能力者による予測が行われ、予測結果データベース（１６）に格納される。予測は、予測能力の高い多数のＳ級予測能力者により行われ、その予測結果は統計処理手段（１５）により統計処理される。この際の統計処理としては、予測能力者の予測的中率に合わせて予測能力者毎に係数を算出し、予測能力者毎の係数を考慮に入れて予測結果の平均値を出す手法が考えられる。予測項目の内容としては、日経平均、先物取引、スポーツの結果、競馬や競輪等の賭博の結果、等が挙げられるが、これら予測項目に限定されない。
また、予測結果は、予測能力の高いランクの予測能力者だけでなく、中ランクの予測能力者、又は低ランクの予測能力者を統計処理したものを予測利用者が見ることができるようにしてもよい。これにより予測利用者は、多くの情報を得ることができる。例えば、極端に予測が当らないグループの予測の正反対の解を選ぶなどが考えられる。
【００６０】
サーバ（２）内に自己の希望する予測依頼項目がなかった場合には、自己の希望する予測内容をネットワーク端末（３）からマニュアルで入力することができ、予測能力者に予測を依頼することができる。予測利用者は、上記したように、予測する予測能力者を選択することができるが、Ｓ級予測能力者達のみを選択することも、全ての予測能力者を選択することもできる。
【００６１】
予測利用者は、予測能力の高いＳ級能力者達に予測内容を予測してもらい、その予測を統計処理手段（１５）で統計処理した予測結果を利用する。
予測利用者は、予測結果データベース（１６）を検索し、予測能力者毎の予測結果を閲覧し、この予測結果の中から最適と思える予測結果を選択することもできる。予測結果の選択基準としては、例えば、予測能力評価手段（１８）により評価した予測能力者毎の項目別予測結果に基づいて選択することが考えられる。更に、予測利用者は、予測の項目別或いは予測能力者の予測能力者グループを指定して、最適な予測能力者の選択を依頼することもできる。この際、サーバ（２）の統計処理手段（１５）は、これまでに行われてきた予測能力者毎の予測の統計結果を算出して、最適な予測能力者の予測結果を予測結果データベース（１６）から選択する。
【００６２】
本発明にかかる予測システムは、予測利用者会員の予測結果閲覧サービスに利用に対する課金、予測能力開発手段のサービスへの課金及びバナー広告などから収益を上げる構造となっているが、得られた収益を予測能力者の予測結果内容に応じて報酬を与える構成となっている。予測能力者への報酬額は、予測案件の内容に応じて報酬決定手段（１７）により決定される。報酬決定手段（１７）は、依頼会員から依頼された予測内容の予測の難易度と予測の的中率に応じて算定される。これにより、予測能力者は良好な予測結果を出すことにより高い報酬を得ることができる。従って、予測能力者はモチベーションを高く維持することができるため予測結果の質を維持することができる。
【００６３】
図９は、予測能力者の選抜及び予測能力者への報酬に関するシステムの一実施形態である。
予測能力利用者は、インターネットを介して予測能力利用者のネットワーク端末からサーバ（２）にアクセスする。予測能力利用者は、予測能力者選抜サービスの予測能力を評価するゲーム等のプログラムを利用することができる。予測能力利用者の中には、予測能力者選抜サービスで高成績を修め報酬を得たい、あるいは予測ゲームを利用して自らの予測能力の向上を計りたい利用者や、興味本位で予測ゲームをして自らの予測能力レベルを知りたい利用者などが含まれている。
予測ゲームで正解率が高い予測能力利用者は、予測能力者として選抜され、特定の予測項目（日経平均、先物取引価格、不動産価格、スポーツイベントの結果、自然現象等）に対して予測を行い、報酬を得る。予測能力者が予測を行った特定の予測項目の結果は、予測能力者の能力を再度評価することに用いられる。従って、予測結果が一定基準以上であった場合は、特定の予測項目に対して再度予測を行ってもらうが、予測結果が一定基準以下であった場合は、その予測能力者は特定の予測項目に対する予測から外れることになり、再度予測能力を評価するゲーム等のプログラムを行い、予測能力の結果を上げる必要がある。
【００６４】
図１０は、本発明に係る予測システムの予測を依頼する一実施形態である。
予測利用者は、インターネットを介して本発明に係る予測システムの提供するサービスを利用することができる。予測システムの提供するサービスは、会員登録を必要とせず無料で利用できるサービスと、会員登録を必要とする有料で利用できるサービスとがある。
無料で利用できるサービスとしては、予め設定されている予測項目の予測結果を閲覧することができるが、無料サービスでは予測能力の高いＳ級予測能力者による予測結果は閲覧することができない。これに対して、会員登録を必要とし、有料で受けられるサービスは、予め設定されている予測項目に関して、料金に即した情報を閲覧することができる。
【００６５】
有料で受けられるサービスとしては、例えば、経済活動、スポーツ、ギャンブルといった項目をクリックすると自動的に課金するシステムでも、或いは予め夫々の予測項目のパスポートを購入して、夫々の予測項目のページに移動できるシステムとしてもよい。予測利用者は、予測項目のページで、Ｓ級予測能力者達による予測項目の予測を、統計処理した予測結果を閲覧することができる。
予測利用者の予測依頼案件が予測項目にない場合、マニュアルで予測内容を入力し、予測を依頼することができる。この際、予測利用者は、Ｓ級予測能力者達による予測を、統計処理した予測結果を依頼してもよいし、予測を依頼する予測能力者を選択して、予測を依頼してもよい。
【産業上の利用可能性】
【００６６】
本発明は、インターネットを介して予測能力の高い予測能力者を選抜し、選抜された予測能力者に近い将来の株価や、先物取引価格、不動産価格、スポーツイベントの結果等を予め予測させ、その結果を統計処理することにより高確率で予測項目の予測値を知ることができるインターネットを介した予測システムに関することから、日経平均等の経済活動数値、希少資源、石油開発などの探索といったものから、人間活動に関する様々な分野に利用することができる。
【符号の説明】
【００６７】
１・・・ネットワーク
２・・・サーバ
３・・・ネットワーク端末
４・・・中央演算装置（ＣＰＵ）
５・・・メモリー
６・・・可読媒体
７・・・接続手段
８・・・入力手段
９・・・表示手段
１０・・予測能力者選抜手段
１１・・予測能力者データベース
１２・・会員登録手段
１３・・登録会員データベース
１４・・登録会員確認手段
１５・・統計処理手段
１６・・予測結果データベース
１７・・報酬決定手段
１８・・予測能力評価手段
１９・・予測能力者選択手段
２０・・予測能力利用者会員登録手段
２１・・予測能力利用者会員確認手段
２２・・予測能力者開発手段
２３・・予測能力評価ゲーム
【図１】
2011227784.tif 000003
【図２】
2011227784.tif 000004
【図３】
2011227784.tif 000005
【図４】
2011227784.tif 000006
【図５】
2011227784.tif 000007
【図６】
2011227784.tif 000008
【図７】
2011227784.tif 000009
【図８】
2011227784.tif 000010
【図９】
2011227784.tif 000011
【図１０】
2011227784.tif 000012